(57)【要約】【課題】  花粉除去効果を維持しつつ、防曇効果を得ることができる花粉モード制御を行う。【解決手段】  乗員により花粉モード制御が設定されると、外気温Ｔａｍが低温領域に設定されたしきい値（５〜６℃）より高い場合（Ｓ３２０）、かつ、コンプレッサシステムが圧力異常などが無い正常動作可能状態（Ｓ３３０）の場合に、吸込口ドアの開度を強制的に内気導入モードに設定する（Ｓ３４０）。逆に、これらの条件が１つでも成立しない場合は、吸込口ドア開度は強制内気モードが解除されて通常制御時の作動状態となる。これにより、花粉モード制御において、内気導入モードでの花粉除去効果が、外気温が比較的高い温度の時に行われることにより、窓曇りの発生が抑制される。【選択図】        図４
2006103451.tif 000002
【特許請求の範囲】
【請求項１】
空調ユニット（１０）の最上流部に設けられ、内気と外気とを切り替え導入する内外気切替手段（１１ａ）と、
前記内外気切替手段の下流側に配置され車室内へ送風する送風機（１２）と、
前記送風機の風下側に配置され、圧縮機（２５）により吸入、吐出される冷媒が供給されて前記送風機からの風を冷却する蒸発器（１３）と、
花粉モード制御を設定する花粉モード設定手段（３９ｆ、３６）と、
前記車室外の温度を検出する外気温センサ（３２）と、
前記花粉モード制御が設定されているときに、前記外気温センサにより検出された外気温に応じて前記内外気切替手段または圧縮機の少なくともいずれか一方の作動を制御する空調制御装置（３０）と、
を備えることを特徴とする車両用空調装置。
【請求項２】
前記花粉モード制御が設定されている場合は、前記空調制御装置は、前記外気温が低温領域の第１しきい値より高い温度の場合には前記内外気切替手段を内気導入モードに設定するとともに、前記外気温が前記第１しきい値より低くなった場合には前記内気導入モードへの設定を解除することを特徴とする請求項１に記載の車両用空調装置。
【請求項３】
前記圧縮機が正常動作可能か否かを判定する圧縮機状態判定手段（３７）を備え、
前記空調制御装置は、前記外気温が前記第１しきい値より高い場合に前記圧縮機状態判定手段による判定結果が否であるとき、前記花粉モード制御における内気導入モードへの設定を解除することを特徴とする請求項２に記載の車両用空調装置。
【請求項４】
前記花粉モード制御が設定されている場合は、前記空調制御装置は前記圧縮機を作動させて前記蒸発器を冷却することを特徴とする請求項１に記載の車両用空調装置。
【請求項５】
前記花粉モード制御が設定されている場合は、前記空調制御装置は、前記外気温が第２しきい値より低い温度の場合には前記圧縮機を作動させて前記蒸発器を冷却することを特徴とする請求項４に記載の車両用空調装置。
【請求項６】
前記空調制御装置は、前記花粉モード設定手段により前記花粉モード制御の設定が解除された場合に、前記圧縮機の作動状態を継続することを特徴とする請求項４または５に記載の車両用空調装置。
【請求項７】
前記空調制御装置は、イグニッションスイッチ（３８）がオフとなったときに前記圧縮機の作動状態の継続を解除することを特徴とする請求項６に記載の車両用空調装置。
【請求項８】
前記空調制御装置は、イグニッションスイッチ（３８）がオフとなった後の経過時間に応じて前記圧縮機の作動状態の継続を解除することを特徴とする請求項６に記載の車両用空調装置。
【発明の詳細な説明】
【技術分野】
【０００１】
本発明は、車室内を快適な空調空間とするよう自動制御する、いわゆるオートエアコンシステムにおいて、特に、乗員に対する花粉の影響を小さくすることにより快適性向上を可能にする車両用空調装置に関する。
【背景技術】
【０００２】
近年、空調快適性への要求が強まる中、特に乗員の健康、とりわけ花粉除去のニーズが増大している。そのための装置として、外気導入ダクトのみに花粉除去フィルタを設けて、外気より花粉を除去して車室内へ送り込む車両用空調装置が提案されている（例えば、特許文献１参照）。
【０００３】
上記従来技術では、乗員が車両に乗り込んだときのドア開閉によるドアから侵入する侵入花粉や、乗り込んだ乗員の顔や髪さらには衣服に付着している持込花粉などを除去することができない。そこで、本出願人は、乗員に対する花粉の影響を小さくする花粉モード制御において、この侵入花粉や持込花粉などが乗員の顔面付近に漂うことを防止する発明を提案した（特願２００４−１２５４４７）。
【０００４】
この花粉モード制御は、内外気の吸い込み口を内気導入モードに、吹出口をフェイスモードに、ブロワレベルを中間風量に設定して、空調ユニット内のフィルタにより花粉を捕集するとともに、花粉が除去された清浄エアを車室内の乗員の顔面付近へ吹き出すものである。
【特許文献１】特開平８−３１０２３０号公報
【発明の開示】
【発明が解決しようとする課題】
【０００５】
しかし、上記従来の花粉モード制御は、車外からの花粉の流入を防止するために吸い込み口を内気導入モードとするものであるので、外気温が比較的低い場合には、この内気導入モード下では窓曇りが発生するおそれがある。
【０００６】
本発明は、上記点に鑑み、花粉除去効果を維持しつつ、防曇効果を得ることができる花粉モード制御を行うことを目的とする。
【課題を解決するための手段】
【０００７】
上記目的を達成するため、請求項１に記載の発明では、空調ユニット（１０）の最上流部に設けられ、内気と外気とを切り替え導入する内外気切替手段（１１ａ）と、内外気切替手段の下流側に配置され車室内へ送風する送風機（１２）と、送風機の風下側に配置され、圧縮機（２５）により吸入、吐出される冷媒が供給されて送風機からの風を冷却する蒸発器（１３）と、花粉モード制御を設定する花粉モード設定手段（３９ｆ、３６）と、車室外の温度を検出する外気温センサ（３２）と、花粉モード制御が設定されているときに、外気温センサにより検出された外気温に応じて内外気切替手段または圧縮機の少なくともいずれか一方の作動を制御する空調制御装置（３０）と、を備えることを特徴とする。
【０００８】
この発明によれば、花粉モード制御が設定されているときに、内外気切替手段の切替作動の制御および圧縮機の駆動／停止の制御を、外気温に応じて行うことができる。すなわち、内外気切替手段における内気導入モードや、圧縮機の停止状態では外気導入モードであってもデフロスタ吹出口が閉じられている吹出口モードでは、外気温が低い場合に窓曇りが発生しやすい。したがって、花粉モード制御においては、この外気温に応じて内外気の切り替えや、圧縮機の作動／非作動の切り替えを行うことにより、窓曇りの発生を抑制することができる。
【０００９】
請求項２に記載の発明は、花粉モード制御が設定されている場合は、空調制御装置は、外気温が低温領域の第１しきい値より高い温度の場合には内外気切替手段を内気導入モードに設定するとともに、外気温が第１しきい値より低くなった場合には内気導入モードへの設定を解除することを特徴とする。
【００１０】
この発明によれば、外気温が低温領域の第１しきい値より高い場合には、内気導入モードに設定して花粉除去効果を維持しつつ、窓曇りが発生しやすい外気温が第１しきい値より低い温度領域では、内気導入モードの設定を解除することにより、窓曇りの発生を抑制することが可能となる。
【００１１】
さらに、請求項３の発明は、圧縮機が正常動作可能か否かを判定する圧縮機状態判定手段（３７）を備え、空調制御装置は、外気温が第１しきい値より高い場合に圧縮機状態判定手段による判定結果が否であるとき、花粉モード制御における内気導入モードへの設定を解除することを特徴とする。
【００１２】
この発明によれば、外気温が第１しきい値より高い場合であっても、圧縮機が正常動作できない状態であると判定された場合には、内気導入モードへの設定が解除されるので、圧縮機システムの損傷を抑制することができる。
【００１３】
請求項４に記載の発明のように、花粉モード制御が設定されている場合は、空調制御装置は圧縮機を作動させて蒸発器を冷却することにより、外気温に応じて圧縮機を作動させることにより、花粉モード制御において、花粉除去効果のある吹出口モードが窓曇りを発生しやすい状態であっても、蒸発器により吹出し空気が除湿され、窓曇りを抑制することができる。
【００１４】
さらに、請求項５に記載のように、花粉モード制御が設定されている場合は、空調制御装置は、外気温が第２しきい値より低い温度の場合には圧縮機を作動させて蒸発器を冷却することができる。これにより、比較的窓曇りが発生しにくい第２しきい値より高い外気温においては、圧縮機を停止させて、エネルギー消費を抑えることができる。
【００１５】
請求項６に記載の発明は、空調制御装置は、花粉モード設定手段により花粉モード制御の設定が解除された場合に、圧縮機の作動状態を継続することを特徴とする。
【００１６】
この発明によれば、花粉モード制御の設定が解除されても、圧縮機の作動状態を継続することにより、圧縮機の作動中に一旦蒸発器に凝縮した水の蒸発器温度上昇による再飛散を防止することができ、窓曇りの発生を抑制することができる。
【００１７】
また、請求項７に記載のように、空調制御装置は、イグニッションスイッチ（３８）がオフとなったときに圧縮機の作動状態の継続を解除する、すなわち、イグニッションスイッチがオフになるまでは圧縮機の作動状態を継続することにより、蒸発器の凝縮水の再飛散を確実に防止して、窓曇りの発生を抑制することができる。
【００１８】
さらにまた、請求項８に記載のように、空調制御装置は、イグニッションスイッチ（３８）がオフとなった後の経過時間に応じて圧縮機の作動状態の継続を解除することにより、イグニッションスイッチをオフにしてエンジンを停止させた後、予め決められた経過時間内で再度イグニッションスイッチをオンとして空調装置を作動させるときに、圧縮機は無条件に直ちに作動状態とすることができるので、イグニッションスイッチをオフする前に蒸発器に凝縮水が付着していても、イグニッションスイッチの再起動時にこの凝縮水の再飛散を抑制して、窓曇りの発生を抑えることができる。
【００１９】
なお、上記各手段の括弧内の符号は、後述する実施形態に記載の具体的手段との対応関係を示すものである。
【発明を実施するための最良の形態】
【００２０】
（第１実施形態）
以下、本発明の第１実施形態について図面を参照して説明する。図１は第１実施形態の全体システム図である。まず、第１実施形態の車両用空調装置のうち、車室内に搭載される空調ユニット１０について説明する。
【００２１】
空調ユニット１０の空気流れ最上流側には内外気切替箱１１が配置され、その内部には板状の内外気切替ドア（吸込口ドア）１１ａが回動自在に設置されている。この吸込口ドア１１ａはサーボモータからなるアクチュエータ１１ｂにより駆動されて、内気（車室内空気）と外気（車室外空気）を切替導入する。
【００２２】
内外気切替箱１１の下流側には送風機１２が配置される。この送風機１２は遠心式の送風ファン１２ａと駆動用モータ１２ｂとにより構成され、内外気切替箱１１から吸入した空気を空調ユニット１０のケース内の通風路１０ａを通して車室内へ向かって送風する。
【００２３】
送風機１２の上流側の直前には、フィルタ４０が配置されている。内外気切替箱１１から導入される外気または内気が全てこのフィルタ４０を通過することにより、これら外気または内気に含まれる花粉やダストが捕集される。
【００２４】
さらに、このフィルタ４０には、花粉症発症アレルゲンを不活性化させる花粉アレルゲン不活性化物質（例えば、フェノール系高分子ポリマーなど）が付与されている。この花粉アレルゲン不活性化物質は、花粉アレルゲンの活性部位と結合してアレルゲンを不活性化するものである。したがって、一旦フィルタ４０に捕集された花粉が再飛散しても、この花粉は花粉アレルゲン不活性化物質により不活性化されており、乗員に花粉症を発症させないようにすることができる。このように、フィルタ４０を通過した空気は、清浄エアとして車室内へ送風される。
【００２５】
なお、このフィルタ４０は、通風路１０ａ内の空気を全てろ過できれば通風路１０ａ内のいずれの部位に配置してもよく、例えば、図１中、破線４０ａで示すように、送風機１２の下流直後に配置してもよい。
【００２６】
空調ユニット１０の通風路１０ａ内において送風機１２の下流直後に蒸発器１３が配置され、蒸発器１３の下流側にヒータコア１４が配置されている。
【００２７】
蒸発器１３は冷却用熱交換器をなすものであり、車両エンジン（図示せず）により駆動される圧縮機２５を持つ周知の冷凍サイクルに設けられ、蒸発器１３に流入した低圧冷媒が送風機１２の送風空気から吸熱して蒸発することにより送風空気を冷却する。なお、圧縮機２５には駆動装置２３により駆動される動力断続用の電磁クラッチ２４が設けられ、車両エンジンの動力が電磁クラッチ２４を介して圧縮機２５に伝達される。
【００２８】
ヒータコア１４は加熱用熱交換器をなすものであり、図示しない車両エンジンからの温水（冷却水）を熱源として送風空気を加熱する。
【００２９】
ヒータコア１４の上流側には、吹出空気温度調整手段をなすエアミックスドア１５が回動自在に設けられている。このエアミックスドア１５の開度はアクチュエータ１５ａにより駆動されて調整され、これによって、ヒータコア１４を通過する空気とヒータコア１４をバイパスする空気の割合とが調整され、車室内に吹き出す空調風の温度が調節される。
【００３０】
空調ユニット１０の最下流には、フロント窓ガラスＷに向けて空調風を吹き出すためのデフロスタ吹出口１６を開閉するデフロスタドア１７、乗員の顔付近および上半身に向けて空調風を吹き出すためのフェイス吹出口１８を開閉するフェイスドア１９、および乗員の足元に向けて空調風を吹き出すためのフット吹出口２０を開閉するフットドア２１が設けられている。
【００３１】
これらの各ドア１７、１９、２１は吹出口制御手段をなすものであって、図示しないリンク機構を介して共通のアクチュエータ２２により連動して開閉される。これらの各ドア１７、１９、２１の開閉作動によって、周知の吹出口モードが切替設定される。
【００３２】
次に、本実施形態の電気制御部について説明すると、空調用制御装置（エアコンＥＣＵ）３０は、マイクロコンピュータとその周辺回路とにより構成される制御手段であって、車両エンジンを始動するためイグニッションスイッチ３８がオンされると同時に作動を開始する。この空調用制御装置３０は、マイクロコンピュータにおける所定の制御プログラムに基づく演算処理により上記の各アクチュエータ１１ｂ、１５ａ、２２および送風機駆動用モータ１２ｂの作動を制御するようになっている。
【００３３】
そして、空調用制御装置３０には車室内の空調状態に影響を及ぼす環境条件を検出する各種センサからの信号が入力される。具体的には、車室内の空気温度（内気温度）Ｔｒを検出する内気温センサ３１、車室外の空気温度（外気温度）Ｔａｍを検出する外気温センサ３２、蒸発器１３の吹出空気温度Ｔｅを検出する蒸発器温度センサ３３、ヒータコア１５の水温Ｔｗを検出する水温センサ３４、車室内に入射する日射量Ｔｓを検出する日射センサ３５、車室内の花粉量（または花粉濃度）を検出する花粉センサ３６、および、圧縮機２５の吐出圧力を検出する圧縮機状態判定手段としての圧力センサ３７からの各信号が空調用制御装置３０に入力される。
【００３４】
なお、花粉センサ３６は、小型の光学式センサとして公知のものであり、花粉を含んだ雰囲気を測定チャンバー内に積極的に導入し、この測定チャンバーにレーザ光を照射し、球体である花粉粒による散乱光を２軸方向で検出することにより、測定チャンバー内の花粉量を測定するものである。
【００３５】
空調操作パネル３９は車室内の計器盤（図示せず）の近傍に配置されるものであって、乗員により手動操作される複数の操作部材３９ａ〜３９ｆが設けられ、この複数の操作部材３９ａ〜３９ｆの操作信号が空調用制御装置３０に入力される。この複数の操作部材は、具体的には、空調装置の自動制御状態を設定するＡＵＴＯスイッチ３９ａ、車室内温度を乗員の好みの設定温度Ｔｓｅｔに設定するための温度設定スイッチ３９ｂ、内外気モードを設定する内外気切替スイッチ３９ｃ、吹出口モード（フェイス、バイレベル、フット、フットデフ、デフロスタ）を設定する吹出口モード切替スイッチ３９ｄ、送風機１２の送風量を設定するための送風量切替スイッチ３９ｅ、後述する花粉モード制御と通常制御とを切り替え設定する花粉モードスイッチ３９ｆ等である。
【００３６】
なお、花粉モードスイッチ３９ｆは、計器盤等の上に設けられる専用の押しボタンスイッチでも、あるいは、タッチパネル型のナビ画面にナビゲーションの地図などと切替表示される空調操作パネル３９としてのタッチスイッチ（図示せず）でもよい。
【００３７】
次に、上記構成において本実施形態の作動を説明する。図２は、空調用制御装置３０により実行されるメインルーチンを示すフローチャートである。この制御ルーチンは、車両のイグニッションスイッチ３８がオンされるとともにスタートし、所定周期で繰り返される。
【００３８】
まずステップＳ１００では、フラグ、タイマー等の初期化がなされ、次のステップＳ１１０にて、花粉モードスイッチ３９ｆが乗員により操作されて花粉モード制御状態になっているか否かが判定される。具体的には、花粉モードスイッチ３９ｆが操作されたとき、または花粉センサ３６の花粉検出量が所定値より大きくなったときなどには花粉モード制御状態であると判定され、フラグが立てられる（ｆｌａｇ=１）。
【００３９】
次のステップＳ１２０で空調操作パネル３９の操作スイッチ３９ａ〜３９ｆ等の操作信号および各センサ３１〜３６等から車両環境状態の検出信号を読み込む。
【００４０】
次にステップＳ１３０にて、通常の空調制御（オートモードまたは通常制御という）および花粉モード制御で用いる目標吹出温度ＴＡＯを算出する。この目標吹出温度ＴＡＯは、車室内を温度設定スイッチ３９ｂの設定温度Ｔｓｅｔに維持するために必要な吹出温度であり、空調制御の基本目標値である。この目標吹出温度ＴＡＯは、空調操作パネル３９の温度設定スイッチ３９ｂにより設定された設定温度Ｔｓｅｔと、各センサにより検出された空調熱負荷に関係する内気温Ｔｒ、外気温Ｔａｍ、及び日射量Ｔｓとに基づいて公知の下記数式（１）により算出する。
【００４１】
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
・・・（１）
但し、Ｋｓｅｔ、Ｋｒ、Ｋａｍ、Ｋｓ：制御ゲイン、Ｃ：補正用の定数である。
【００４２】
次に、ステップＳ１４０で、送風機１２の風量を目標吹出温度ＴＡＯに基づき設定する。具体的には、図３（ａ）に示すように、目標吹出温度ＴＡＯの低温側および高温側で風量レベルを最大（Ｈｉ）とし、ＴＡＯの中間温度域にて風量レベルを最小（Ｌｏ）にしている。なお、風量レベルは、実際には、送風機１２の駆動用モータ１２ｂに印加される電圧レベルとして決定し、この電圧レベル変化により送風機１２の風量を変化させるようにしている。
【００４３】
次にステップＳ１５０にて、エアミックスドア（Ａ／Ｍドア）１５の目標開度ＳＷを算出する。このＡ／Ｍドア目標開度ＳＷは、基本的には、蒸発器１３の吹出空気温度Ｔｅ（蒸発器温度センサ３３の検出温度）、ヒータコア１５の温水温度Ｔｗ（水温センサ３４の検出温度）、および目標吹出空気温度ＴＡＯを用いて、数式（２）に基づき算出する。
【００４４】
ＳＷ＝｛（ＴＡＯ−Ｔｅ）／（Ｔｗ−Ｔｅ）｝×１００（％）          ・・・（２）
なお、ＳＷ＝０％は、エアミックスドア１５の最大冷房位置であり、ＳＷ＝１００％はエアミックスドア１５の最大暖房位置である。
【００４５】
次に、ステップＳ１６０にて吹出口モード（吹出口ダンパ位置）の設定が行われる。具体的には、通常制御時には、目標吹出口温度ＴＡＯに基づき、図３（ｂ）に示す特性にしたがって行われる。すなわち、目標吹出温度ＴＡＯが低温側から高温側へと変化するにつれて、吹出口モードをフェイス（ＦＡＣＥ）モード→バイレベル（Ｂ／Ｌ）モード→フット（ＦＯＯＴ）モードと順次切り替える。
【００４６】
一方、ステップＳ１１０にて花粉モード制御が選択されているときには、目標吹出温度ＴＡＯに拘わらず、常にフェイスモードが選択され、フェイスドア１９が開かれてフェイス吹出口１８より乗員の上半身に向けて空調風をあてることにより、乗員の上半身（特に、顔）の周りの花粉を吹き飛ばして、花粉除去を行う。なお、この花粉モード制御におけるフェイスモードでは、他のデフロスタ吹出口１６およびフット吹出口２０はともに閉じられる。
【００４７】
次のステップＳ１７０では、吸込口モード設定、すなわち内外気切替箱１１の吸込口ドア１１ａの開度が算出される。具体的には、図４のフローチャートに示す処理ルーチンにて行われる。
【００４８】
図４において、まずステップＳ３００にて、花粉モード制御中であるか否かが、フラグに基づき判定する。花粉モード制御が設定されていない場合は、ステップＳ３１０に移行して、通常制御における吸込口ドア１１ａの開度を、目標吹出温度ＴＡＯに基づき図３（ｃ）に示すように決定する。この通常制御時における吸込口モードは、よく知られているように、目標吹出温度ＴＡＯが低い場合の内気モード側からＴＡＯが高い場合の外気モード側へ吸込口ドア１１ａの開度が切り替えられる。
【００４９】
一方、ステップＳ３００で、花粉モード制御中であると判定された場合は、ステップＳ３２０にて、外気温Ｔａｍに応じた吸込口状態遷移値Ｆ１（Ｔａｍ）を、図５に示すように算出する。すなわち、吸込口状態遷移値Ｆ１（Ｔａｍ）は、外気温Ｔａｍが第１しきい値（５または６℃）より大きいときには「１」、第１しきい値より小さいときは「０」となるよう設定される。この第１しきい値は、比較的低温域の温度として設定されている。
【００５０】
そして、この吸込口状態遷移値Ｆ１（Ｔａｍ）＝０のときは、ステップＳ３１０にて吸込口ドア開度を通常制御における目標吹出温度ＴＡＯに応じた値（外気モードまたは内気モード）に設定される。
【００５１】
吸込口状態遷移値Ｆ１（Ｔａｍ）＝１であるときは、ステップＳ３３０にて圧縮機状態判定手段によりコンプレッサシステムが正常か否かが判定される。具体的には、圧力センサ３７による冷凍サイクル（図示せず）の冷媒圧力が異常値（異常高圧または異常低圧）を示しているか否かに基づき、圧縮機システムが正常状態であるか否かを判定することができる。
【００５２】
コンプレッサシステムが正常でないと判定される場合は、ステップＳ３１０にて通常制御時の吸込口ドア開度が設定される。コンプレッサシステムが正常であると判定される場合は、ステップＳ３４０にて吸込口ドア開度を、目標吹出温度ＴＡＯの大きさに拘わらず、強制的に内気モード（内気導入モード）に設定する。
【００５３】
このように、ステップＳ１７０における、花粉モード制御中での吸込口ドア開度は、外気温Ｔａｍが第１しきい値（５または６℃）より高い場合、かつ、コンプレッサシステムが正常であるときのみ、強制的に内気導入モードに設定されるので、確実に窓曇りの防止効果を得ることができる。
【００５４】
なお、外気温Ｔａｍが第１しきい値より低い温度の場合、花粉モード制御中であっても、強制的に内気導入モードに設定されることはないが、この低外気温状態では、目標吹出温度ＴＡＯは高くなり吸込口ドア１１ａは外気導入モードに設定される可能性が高く、窓曇りが発生しにくくなる。
【００５５】
次のステップＳ１８０では、蒸発器目標吹出温度ＴＥＯが算出される。すなわち、周知のように、第１蒸発器吹出温度ＴＡＯ１が、目標吹出温度ＴＡＯが高くなるほど高くなるように算出され、第２蒸発器吹出温度ＴＡＯ２が、外気温Ｔａｍの中間温度域（たとえば１８〜２５℃）で高く、かつ低温域および高温域でおよびそれぞれ低くなるよう算出される。これら第１および第２蒸発器吹出温度ＴＡＯ１、ＴＡＯ２の低いほうの温度を、蒸発器目標吹出温度ＴＥＯとして算出される。
【００５６】
そして、次のステップＳ１９０にて、コンプレッサの制御判定を行う。その具体的な処理ルーチンを図６に示す。図６において、まずステップＳ４１０にて、花粉モード制御が設定されているか否かが判定される。
【００５７】
花粉モード制御が設定されていない場合は、ステップＳ４２０にて、圧縮機２５を通常制御時に設定される作動状態で作動させる。具体的には、周知のように、ステップＳ１８０で算出された蒸発器目標吹出温度ＴＥＯと、蒸発器１３の吹出空気温度Ｔｅとの大小関係に応じて、電磁クラッチ２４を断続するよう駆動回路２３へＯＮ−ＯＦＦ信号を出力する。
【００５８】
花粉モード制御が設定されている場合は、ステップＳ４３０にて、外気温Ｔａｍに応じた圧縮機状態遷移値Ｆ２（Ｔａｍ）を、図７に示すように算出する。すなわち、圧縮機状態遷移値Ｆ２（Ｔａｍ）は、外気温Ｔａｍが第２しきい値（１５または１６℃）より小さいときには「１」、第２しきい値より大きいときは「０」となるよう設定される。この第２しきい値は、第１しきい値より高い、中間的な温度域の温度として設定されている。
【００５９】
圧縮機状態遷移値Ｆ２（Ｔａｍ）＝０のときには、ステップＳ４２０にて圧縮機２５を通常制御におけるＴＥＯに応じたＯＮ−ＯＦＦ制御を行う。また、圧縮機状態遷移値Ｆ２（Ｔａｍ）＝１のときには、ステップＳ４７０にて、蒸発器目標吹出温度ＴＥＯに拘わらず、圧縮機２５を強制的に作動状態（ＯＮ）とする。
【００６０】
このように、ステップＳ１９０における、花粉モード制御中での圧縮機２５の作動状態は、外気温Ｔａｍが第２しきい値（１５または１６℃）より低い場合に強制的に作動（ＯＮ）状態となるので、蒸発器１３において空気が除湿され、この除湿空気が車室内に吹き出されるため窓曇りが抑制される。なお、外気温Ｔａｍが第２しきい値より高い場合には、圧縮機２５は強制的にＯＮ状態とはならず、通常制御モードでの蒸発器目標吹出温度ＴＥＯに基づく作動制御が行われる。
【００６１】
以上のように、本第1実施形態では、ステップＳ１７０（Ｓ３００〜Ｓ３４０）にて、花粉モード制御が設定され、かつ、コンプレッサシステムが正常作動可能のときに、外気温Ｔａｍが第１しきい値より高い状態の時には吸込口モードを強制的に内気導入モードにする。さらに、ステップＳ１９０（Ｓ４１０〜Ｓ４７０）にて、同じく花粉モード制御が設定されているとき、外気温Ｔａｍが第１しきい値より高い値に設定されている第２しきい値より低い場合には、圧縮機２５を強制的に作動させる。
【００６２】
したがって、花粉モード制御において、花粉除去効果を得るために内気導入モードにする場合に、第２しきい値より低い温度範囲で圧縮機２５を強制的に作動させて、車室内に除湿された空気を吹き出すことにより、窓曇りを抑制することができる。
【００６３】
さらに、このとき、コンプレッサシステムが正常動作できないと判定された場合には、花粉モード制御が設定されていても、強制的に内気導入モードに移行しないので、窓曇りを発生しにくくすることができる。これは、花粉モード制御の設定により、吹出口モードが乗員の上半身より花粉を除去するためにフェイスモードが選択される場合に、特に窓曇り発生の抑制に効果がある。すなわち、フェイスモードでは、デフロスタ吹出口１６およびフット吹出口２０が閉じられるため、内気導入モードで窓曇りが発生しやすくなるためである。
【００６４】
なお、外気温Ｔａｍが第１しきい値より低い、低外気温範囲では、花粉モード制御中に吸込口モードは内気導入モードが解除されるので、窓曇りの発生を抑制することができる。また、外気温Ｔａｍが、第２しきい値より高い中高温範囲では、内気導入モードであっても窓曇りが発生しにくい温度範囲であるため、圧縮機２５の強制作動を解除することにより、エネルギー消費を抑えつつ窓曇りの発生を抑制することができる。
【００６５】
（第２実施形態）
次に、本発明の第２実施形態について説明する。本第２実施形態は、上記第１実施形態と同様、花粉モード制御時に、外気温Ｔａｍにが第２しきい値より低い場合に圧縮機２５を強制作動させるものであるが、一旦、花粉モード制御が設定されたら、花粉モード設定手段において花粉モード制御が解除されても、圧縮機２５の強制作動状態を解除しない点が、第１実施形態と異なっている。以下では、第１実施形態と同じ構成部分は説明を省略し、異なる部分のみ説明する。
【００６６】
図８は、第２実施形態におけるコンプレッサ制御判定の処理ルーチンを示すフローチャートである。この風量設定は、第１実施形態と同様、図２のメインルーチンのステップＳ１９０にて実行される。図８において、第１実施形態（図６）と同じ処理内容には同一符号を付して説明を省略する。
【００６７】
まず、ステップＳ４００にて、花粉モード制御における圧縮機２５の強制作動（ＯＮ）状態となったことがあるかを、履歴フラグ＝１または０に基づき判定する。イグニッションスイッチ３８がＯＮとなって、まだ一度も花粉モード制御が設定されていない場合は、履歴フラグ＝０であり、ステップＳ４１０へ移行する。ステップＳ４１０から、ステップＳ４２０、Ｓ４３０およびＳ４７０における処理内容は、上記第１実施形態と同じであるので、説明を省略する。
【００６８】
ステップＳ４００で、履歴フラグ＝１であるときには、花粉モード制御が設定されているか否かにかかわらずステップＳ４４０へ移行して、イグニッションスイッチ（ＩＧ）３８がＯＦＦとなっているか否かが判定される。ＩＧ３８がＯＦＦ、すなわちエンジンが停止されているときには、ステップＳ４５０にて、花粉モード制御における圧縮機２５の強制作動の履歴フラグ＝０にリセットして、ステップＳ４２０に移行し通常制御における圧縮機制御が行われる。
【００６９】
ステップＳ４４０で、ＩＧ３８がＯＦＦとなっていないと判定された場合は、ステップＳ４６０にて履歴フラグ＝１とし、ステップＳ４７０にて、第１実施形態と同様、圧縮機２５を強制作動モードとする。なお、ステップＳ４３０での判定結果がＹＥＳ、すなわち、第１回目の花粉モード制御における圧縮機状態遷移値Ｆ２（Ｔａｍ）＝１での制御においては、このステップＳ４６０にて履歴フラグ＝１が設定される。
【００７０】
したがって、第２実施形態においては、一旦、花粉モード制御における外気温Ｔａｍの第２しきい値より低い温度域での圧縮機の強制作動が行われたら（Ｓ４００→Ｓ４１０→Ｓ４３０→Ｓ４６０→Ｓ４７０）、ＩＧ３８がＯＦＦとなるまで、花粉モード制御が解除されても、あるいは、外気温Ｔａｍが第２しきい値より高くなっても、圧縮機の強制作動モードは解除されない（Ｓ４００→Ｓ４４０→Ｓ４６０→Ｓ４７０）。
【００７１】
すなわち、花粉モード制御の解除や、あるいは外気温Ｔａｍの上昇により、圧縮機は停止せず作動し続けるので、圧縮機２５の強制作動により蒸発器１３に付着した凝縮水は、蒸発器１３の温度上昇による再飛散は抑制され、車室内への吹き出し空気は除湿状態が維持されるので、窓曇りの発生を抑制することができる。
【００７２】
（第３実施形態）
次に、本発明の第３実施形態について説明する。本第３実施形態は、上記第２実施形態と、圧縮機の強制作動モードを花粉モード制御の解除、または外気温Ｔａｍの上昇があっても継続する点は同じであるが、その圧縮機の強制作動モードをＩＧ３８のＯＦＦ後、所定時間経過後まで継続させる点が、第２実施形態と異なっている。以下では、第２実施形態と同じ構成部分は説明を省略し、異なる部分のみ説明する。
【００７３】
図９は、第３実施形態におけるコンプレッサ制御判定の処理ルーチンを示すフローチャートである。この風量設定は、第１、第２実施形態と同様、図２のメインルーチンのステップＳ１９０にて実行される。図９において、第１実施形態（図６）および第２実施形態（８）と同じ処理内容には同一符号を付して説明を省略する。
【００７４】
すなわち、第３実施形態では、ステップＳ４４２において、ＩＧ３８がＯＦＦ状態となって所定時間（１時間）経過したか否かが判定され、ＩＧ３８がＯＦＦ状態となって１ｈ経過するまでは、履歴フラグ＝１とし（Ｓ４６０）、圧縮機２５を強制作動状態とする（Ｓ４７０）。
【００７５】
なお、このステップＳ４７０での圧縮機の強制作動状態とは、ＩＧ３８がＯＮの場合は圧縮機２５は実際に作動して、蒸発器１３に冷媒を供給しているが、ＩＧ３８がＯＦＦとなったら、圧縮機２５の実際の作動は停止するが、次にＩＧ３８がＯＮとなったら直ちに圧縮機は作動開始できる状態になっていることを意味する。
【００７６】
ステップＳ４４２で、ＩＧ３８がＯＦＦとなって１ｈ経過した後は、第２実施形態と同様、ステップＳ４５０にて圧縮機の強制作動モードの履歴フラグ＝０にリセットし、ステップＳ４２０の通常制御、すなわち、空調装置を完全に停止状態とする。
【００７７】
以上のように、第３実施形態では、ＩＧ３８がＯＦＦとなっても、所定時間（たとえば
１ｈ）経過するまでは、圧縮機２５の強制作動モードを継続するので、所定時間内で、再度ＩＧ３８がＯＮされた場合に、圧縮機２５は直ちに作動して、蒸発器１３に冷媒を供給することができる。したがって、ＩＧ３８のＯＦＦ状態が継続する１時間以内の期間に、蒸発器１３に凝縮水が付着したまま残っていても、ＩＧ３８の再度のＯＮにより直ちに冷却が開始される蒸発器１３から凝縮水が再飛散することは抑制され、窓曇りの発生を抑えることができる。
【００７８】
（他の実施形態）
第１実施形態では、花粉モード制御中に、外気温Ｔａｍが第１しきい値より高い場合に吸込口モードを強制的に内気導入モードに設定する処理と、外気温Ｔａｍが第２しきい値より低い場合に圧縮機を強制作動させる処理をともに備える例を示したが、必ずしも両者を併用する必要はなく、それぞれ単独に用いてもよい。すなわち、内気導入モードを強制的に設定する処理を行う場合は、圧縮機は通常制御時の蒸発器目標吹出温度ＴＥＯに基づく作動制御を行うことができる。また、圧縮機を強制的に作動する処理を行う場合は、吸込口モードを通常制御時の目標吹出温度ＴＡＯに基づき設定するようにしてもよい。
【図面の簡単な説明】
【００７９】
【図１】本発明の第１実施形態の車両用空調装置の全体システム図である。
【図２】空調用制御装置により実行されるメインルーチンを示すフローチャートである。
【図３】（ａ）〜（ｃ）は、通常制御時の制御特性を示す線図である。
【図４】第１実施形態における、吸込口ドア開度演算の処理ルーチンを示すフローチャートである。
【図５】吸込口状態遷移値Ｆ１（Ｔａｍ）の特性を示す線図である。
【図６】第１実施形態における、コンプレッサ制御判定の処理ルーチンを示すフローチャートである。
【図７】圧縮機状態遷移値Ｆ２（Ｔａｍ）の特性を示す線図である。
【図８】第２実施形態における、コンプレッサ制御判定の処理ルーチンを示すフローチャートである。
【図９】第３実施形態における、コンプレッサ制御判定の処理ルーチンを示すフローチャートである。
【符号の説明】
【００８０】
１０…空調ユニット、１１…内外気切替箱、１２…送風機、１３…蒸発器、
１４…ヒータコア、１５…エアミックス（Ａ／Ｍ）ドア、１６…デフロスタ吹出口、
１８…フェイス吹出口、２０…フット吹出口、
３０…空調用制御装置（エアコンＥＣＵ）、３６…花粉センサ、
３８…イグニッションスイッチ、３９ｆ…花粉モードスイッチ、４０…フィルタ。
【図１】
2006103451.tif 000003
【図２】
2006103451.tif 000004
【図３】
2006103451.tif 000005
【図４】
2006103451.tif 000006
【図５】
2006103451.tif 000007
【図６】
2006103451.tif 000008
【図７】
2006103451.tif 000009
【図８】
2006103451.tif 000010
【図９】
2006103451.tif 000011